(57)【特許請求の範囲】
【請求項１】
搭乗運転部の機体前部側に位置する原動部に、エンジン及びそのエンジンの排気ガスを浄化する排気ガス浄化装置が備えられた作業車の排気装置であって、
前記排気ガス浄化装置が、前記原動部における機体後部側箇所に位置する状態で配備され、
前記排気ガス浄化装置から排出される排気ガスが通流する排気管の先端部に径方向に重なり合う状態で、前記排気管から排出される排気ガスにより外気を吸引しかつ前記排気ガスと吸引する外気とを混合させて排出口から外部に排出させる前記排気管よりも大径で筒状の排気混合管が備えられ、
前記排気混合管が、軸芯方向が機体前後方向に沿う姿勢で、且つ、前記排気ガスを機体前方に向けて排出させる状態で、前記原動部における機体横幅方向一方側の下方側箇所に配備され、
前記排気管が、前記排気ガス浄化装置における機体横幅方向他方側の端部に接続されるとともに、排気ガス処理装置における機体横幅方向他方側の端部から後方且つ下方に延びる第１部分と、前記第１部分の後端部から屈曲して、機体横幅方向他方側から機体幅方向一方側に向けて機体横方向に延びる第２部分と、前記第２部分の前記第１部分側の端部とは反対の端部から屈曲して機体前方に延びる第３部分とを有する作業車の排気装置。
【請求項２】
前記排気管が、前記排気混合管に径方向に重なり合う状態で設けられている請求項１記載の作業車の排気装置。
【請求項３】
前記排気混合管における前記排気管が重なり合う箇所よりもガス通流方向下手側箇所であってかつ前記排出口よりもガス通流方向上手側箇所に、その排気管を通流する排気ガスにより外気を吸引する外気吸引口が形成され、
前記排出口の断面積が、前記排気管の先端部が重なり合う箇所における外気取り入れ口の断面積と前記外気吸引口における断面積とを加算した断面積よりも大に設定されている請求項１又は２に記載の作業車の排気装置。
【請求項４】
前記排気混合管が、操向操作自在な前輪を支持する前車軸ケースの上方に位置する状態で配備されている請求項１〜３のいずれか１項に記載の作業車の排気装置。
【請求項５】
前記排気管の先端部には、それよりもガス通流方向上流側箇所における横幅方向での幅を幅狭とした断面形状を縦長状とする絞り部が備えられている請求項１〜３のいずれか１項に記載の作業車の排気装置。
【請求項６】
前記排気混合管が、操向操作自在な前輪よりも機体前方側に配備されている請求項５に記載の作業車の排気装置。
【請求項７】
前記排気混合管は、前記排気ガスを機体前方における機体横幅方向の外側で斜め下方側に向けて排出させるように構成されている請求項６に記載の作業車の排気装置。
【発明の詳細な説明】
【技術分野】
【０００１】
本発明は、搭乗運転部の機体前部側に位置する原動部に、エンジン及びそのエンジンの排気ガスを浄化する排気ガス浄化装置が備えられた作業車の排気装置に関する。
【背景技術】
【０００２】
上記作業車の排気装置の従来構成として、例えば、前記排気ガス浄化装置から排出された排気ガスは上下方向に長いパイプ部材を介して、搭乗運転部を覆うキャビンの前部側のフレームに沿わせて高い位置にまで案内され、そのパイプ部材の上端開口からそのまま排気ガスを外部に排出させる構成となっていた（例えば、特許文献１参照。）。
【先行技術文献】
【特許文献】
【０００３】
【特許文献１】特開２０１０−１１６００１号公報
【発明の概要】
【発明が解決しようとする課題】
【０００４】
排気ガス浄化装置は、排気ガスに含まれる煤等の粒子状物質を捕集除去するためのものであるが、このような排気ガス浄化装置では、捕集した粒子状物質が堆積することによる捕集機能の低下を防止するために、例えばヒータ等の加熱手段により捕集した粒子状物質を加熱して燃焼除去する再生処理を行うように構成されている。その結果、再生処理時において排気ガス浄化装置から排出される排気ガスは通常の排気ガスよりも高温になる。
【０００５】
そこで、従来の排気装置では、上記したような搭乗運転部にキャビンを備える作業車であれば、パイプ部材の上端開口からそのまま排気ガスを外部に排出させるようにしても、キャビンの内部にいる運転者は排気ガスによる影響を受けることはないが、その作業車の近くにいる補助作業者に対して高温の排気ガスによる悪影響を受けることがある。
又、キャビンを備えない作業車であれば、補助作業者だけでなく、搭乗運転部にいる運転者に対しても高温の排気ガスにより悪影響を受けることがある。
【０００６】
従って、従来の排気装置では、排気ガス浄化装置によって排気ガス中の煤等は除去されるものの、排気ガス浄化装置から排出される高温の排気ガスがパイプ部材の上端開口からそのまま排出されるものであるから、高温の排気ガスに起因して作業環境を悪化させる不利があった。
【０００７】
本発明の目的は、排気ガス浄化装置を備えて排気ガスを浄化できるものでありながら、高温の排気ガスに起因して生じる作業環境の悪化を回避することが可能となる作業車の排気装置を提供する点にある。
【課題を解決するための手段】
【０００８】
本発明に係る作業車の排気装置は、搭乗運転部の機体前部側に位置する原動部に、エンジン及びそのエンジンの排気ガスを浄化する排気ガス浄化装置が備えられたものであって、その第１特徴構成は、
前記排気ガス浄化装置が、前記原動部における機体後部側箇所に位置する状態で配備され、
前記排気ガス浄化装置から排出される排気ガスが通流する排気管の先端部に径方向に重なり合う状態で、前記排気管から排出される排気ガスにより外気を吸引しかつ前記排気ガスと吸引する外気とを混合させて排出口から外部に排出させる前記排気管よりも大径で筒状の排気混合管が備えられ、
前記排気混合管が、軸芯方向が機体前後方向に沿う姿勢で、且つ、前記排気ガスを機体前方に向けて排出させる状態で、前記原動部における機体横幅方向一方側の下方側箇所に配備され、
前記排気管が、前記排気ガス浄化装置における機体横幅方向他方側の端部に接続されるとともに、排気ガス処理装置における機体横幅方向他方側の端部から後方且つ下方に延びる第１部分と、前記第１部分の後端部から屈曲して、機体横幅方向他方側から機体幅方向一方側に向けて機体横方向に延びる第２部分と、前記第２部分の前記第１部分側の端部とは反対の端部から屈曲して機体前方に延びる第３部分とを有する点にある。
【０００９】
第１特徴構成によれば、排気ガス浄化装置から排出される排気ガスは排気管を通して通流して、その先端部から排出されるが、その排気管の先端部には、径方向に重なり合う状態で排気管よりも大径で筒状の排気混合管が備えられる。そして、この排気混合管は、排気管から排出される排気ガスにより外気を吸引しかつ排気ガスと吸引する外気とを混合させて排出口から外部に排出させる。
排気混合管が筒状に形成されるから、排気ガスと外気との混合が促進され、排出口から排出されるときは、排気ガス浄化装置から排出されるときよりも大幅に温度が低下した状態で外部に排出されることになる。
【００１０】
排気混合管は、軸芯方向が機体前後方向に沿う姿勢で、且つ、排気ガスを機体前方に向けて排出させる状態で、原動部における機体横幅方向一方側の下方側箇所に配備されるので、原動部内の他の装置の配置に制約を与えるおそれの少ない状態で排気混合管を備えさせることができ、しかも、排出される排気ガスは、搭乗運転部から遠ざかる方向に向けて排出されることになり、運転者は排気ガスによる影響を受けるおそれが少ないものとなる。
【００１１】
従って、排気ガス浄化装置を備えて排気ガスを浄化できるものでありながら、高温の排気ガスに起因して生じる作業環境の悪化を回避することが可能となる作業車の排気装置を提供できるに至った。
【００１２】
本発明の第２特徴構成は、前記排気管が、前記排気混合管に径方向に重なり合う状態で設けられている点にある。
【００１３】
第２特徴構成によれば、排気管は、排気ガス浄化装置における機体横幅方向他方側の端部に接続され、機体横幅方向一方側に向けて延出されるのであり、原動部における機体横幅方向一方側の下方側箇所に配備されている排気混合管に向けて排気ガスを通流させることになる。
【００１４】
このように排気管は、機体横幅方向他方側の端部から機体横幅方向一方側に向けて長く延出されるので、排気ガス浄化装置から排出される高温の排気ガスが、この長い排気管の内部を通流することにより、排気管を通して熱が外部に放出されるので、排気ガスの温度を低下させることができる。
【００１５】
すなわち、原動部における機体後部側箇所に配備される排気ガス浄化装置と、原動部における機体横幅方向一方側の下方側箇所に配備される排気混合管とを接続するために長く設けられる排気管を有効利用して、排気ガスの温度を低下させることが可能となる。
【００１６】
本発明の第３特徴構成は、前記排気混合管における前記排気管が重なり合う箇所よりもガス通流方向下手側箇所であってかつ前記排出口よりもガス通流方向上手側箇所に、その排気管を通流する排気ガスにより外気を吸引する外気吸引口が形成され、
前記排出口の断面積が、前記排気管の先端部が重なり合う箇所における外気取り入れ口の断面積と前記外気吸引口における断面積とを加算した断面積よりも大に設定されている点にある。
【００１７】
第３特徴構成によれば、排気混合管における排気管が重なり合う箇所では、小径の排気管とそれよりも大径の排気混合管との間に形成される外気取り入れ口から外気が吸引される。又、外気吸引口が形成される箇所においても外気が吸引されることになる。
つまり、排気ガスは外気取り入れ口より吸引した外気と混合されて温度が低下したのちに、外気吸引口より吸引した外気と混合されることによりさらに温度が低下することになる。
【００１８】
そして、排出口の断面積が、外気取り入れ口の断面積と外気吸引口における断面積とを加算した断面積よりも大に設定されているから、外気取り入れ口と外気吸引口との夫々から外気を吸引するようにしても、排出口において滞ることなく排気ガスが外部に排出されることになる。
【００１９】
その結果、外気取り入れ口や外気吸引口からの外気の取り入れが良好に行われることになって、排気ガス浄化装置から排出される高温の排気ガスを充分に温度低下させた状態で排出口から外部に排出させることができる。
【００２０】
本発明の第４特徴構成は、前記排気混合管が、操向操作自在な前輪を支持する前車軸ケースの上方に位置する状態で配備されている点にある。
【００２１】
第４特徴構成によれば、排気混合管が前車軸ケースの上方に位置する状態で配備されるから、排気混合管を大径に構成するようにしても、前輪を最大揺動角度まで操向操作させることがあっても、前輪が排気混合管に干渉するおそれが少ないものとなる。
従って、排気混合管が操向操作される前輪との干渉により損傷を受けるおそれがなく、長期にわたり良好に使用できるものとなる。
【００２２】
本発明の第５特徴構成は、前記排気管の先端部には、それよりもガス通流方向上流側箇所における横幅方向での幅を幅狭とした断面形状を縦長状とする絞り部が備えられている点にある。
【００２３】
第５特徴構成によれば、排気管の先端部に備えられた絞り部によって、排気管から排出される排気ガスの流速を上げることができる。よって、排気管から排出されて排気混合管に供給される排気ガスによって、より大きな吸引力を発揮することができ、排気混合管により多くの外気を吸引することができる。したがって、排気混合管の長さを短くしても、より多くの外気を排気ガスに混合させて、排ガスの温度を十分に低下させることができるので、排気混合管の小型化を図ることができる。しかも、絞り部は、縦長状であるので、排気混合管の横幅方向での大きさを小さくすることができる。よって、排気混合管により多くの外気を取り込むことができながら、原動部における機体横幅方向一方側の下方側箇所での限られたスペースに排気管及び排気混合管を適切に配置することができる。
【００２４】
本発明の第６特徴構成は、前記排気混合管が、操向操作自在な前輪よりも機体前方側に配備されている点にある。
【００２５】
第６特徴構成によれば、前輪よりも機体前方側に配備された排気混合管から排気ガスを排出するので、搭乗運転部の運転者や機体から遠ざかるように排気ガスを排出することができる。これにより、排気ガスの熱による影響が、搭乗運転部の運転者や機体に及ぶのを低減することができる。また、排気混合管から機体前方に排気ガスを排出するに当たり、前輪が邪魔になることなく、その排気ガスの排出方向の選択の自由度が増す。
【００２６】
本発明の第７特徴構成は、前記排気混合管は、前記排気ガスを機体前方における機体横幅方向の外側で斜め下方側に向けて排出させるように構成されている点にある。
【００２７】
例えば、トラクタ等の作業車では、機体の前方にフロントローダを連結する場合に、機体横幅方向で排気混合管の外側にフロントローダを連結するための連結部材等が配備されることになる。よって、例えば、排気混合管から機体横幅方向の外側に排気ガスを排出すると、その連結部材等に向けて排気ガスを排出してしまうことになる。また、例えば、排気混合管から排気ガスを下方に向けて排出させた場合には、砂埃が生じる等の問題がある。
【００２８】
そこで、第７特徴構成では、排気混合管から排気ガスを排出する方向を、機体前方における機体横幅方向の外側で斜め下方側としている。これにより、フロントローダを連結するための連結部材等に向けて排気ガスを排出することなく、砂埃が生じる等の問題の発生を防止することができる。
【図面の簡単な説明】
【００２９】
【図１】トラクタの全体側面図である。
【図２】原動部の側面図である。
【図３】原動部の平面図である。
【図４】原動部の正面図である。
【図５】上手側の外気取り込み部の断面図である。
【図６】上手側の外気取り込み部の斜視図である。
【図７】排気混合管の断面図である。
【図８】下手側の外気取り込み部の斜視図である。
【図９】外気取り込み部や排出口の断面積を示す図である。
【図１０】ボンネットの側面図である。
【図１１】原動部の側面図である。
【図１２】排気管及び排気混合管の斜視図である。
【図１３】排気管及び排気混合管の断面図である。
【発明を実施するための形態】
【００３０】
〔第１実施形態〕
以下、図面に基づいて、本発明に係る作業車の排気装置を作業車としてのトラクタに適用した場合について説明する。
図１に示すように、このトラクタは、操向操作及び駆動自在な左右一対の前輪１と、駆動自在な左右一対の後輪２とを走行車体３に備えた四輪駆動仕様に構成されている。走行車体３の前部に、エンジン４等が内装された原動部５を備え、走行車体３の後部に、ステアリングハンドル６、運転座席７等を備えた搭乗運転部８が備えられている。又、このトラクタでは、搭乗運転部８にキャビンＣが備えられている。
【００３１】
エンジン４の後部には、クラッチハウジング９と、板金構造のハウジングフレーム１０と、静油圧式無段変速装置（ＨＳＴ）からなる主変速装置１１と、ミッションケース１２と、デフケース１３とが縦列状に順次連結された構造になっており、デフケース１３に左右の後輪２が軸支されている。エンジン４の下部から前方に前部フレーム１４が延出されており、この前部フレーム１４に前輪１を装着する前車軸ケース１７が支持されている。
【００３２】
原動部５の上方を覆うボンネット１５は、左右のサイドカバー１５ａと、通気可能なフロントカバー１５ｂと、ヘッドライトを備えた上部カバー１５ｃとを備えて構成されており、サイドカバー１５ａ及びフロントカバー１５ｂが前部フレーム１４及びセンターフレーム１６に固定支持され、上部カバー１５ｃが上方に揺動開放可能に支持されている。
【００３３】
図２及び図３に示すように、エンジン４は、水冷式の縦型ディーゼルエンジンに構成されており、その機体前部側にラジエータ２０が立設配備されて、エンジン４の冷却水がエンジン４内の冷却水ジャケット（図示せず）とラジエータ２０との間で循環流動されるようになっている。エンジン４の前面下部に設けられた出力軸（図示せず）に備えられたプーリ２２と、エンジン４の前面上部に軸支配備された冷却ファン２４の入力プーリ２５と、発電機２６の入力プーリ２６ａとに亘って伝動ベルト２７が巻回張設されている。フロントカバー１５ｂを通してエンジンルームＲ内に導入した外気を冷却ファン２４によってラジエータ２０に供給するよう構成されている。
【００３４】
原動部５には、エンジン４の排気ガスを浄化する排気ガス浄化装置３０が備えられている。この排気ガス浄化装置３０は、排気ガス中に含まれるカーボンを主成分とする粒子状物質を捕集して除去するディーゼルパティキュレートフィルタ（ＤＰＦ）を用いて構成されている。この排気ガス浄化装置３０は、図示はしないが、捕集した粒子状物質が堆積することによる捕集機能の低下を防止するために、例えばヒータ等の加熱手段により捕集した粒子状物質を加熱して燃焼除去する再生処理を行うように構成されている。その結果、エンジン４の回転数の高低にかかわらず、再生処理時において排出される排気ガスの温度が一般的なエンジンの排気に比べて高温になっている。
【００３５】
そこで、このトラクタでは、排気ガス浄化装置３０から排出される排気ガスの温度を低下させた状態で外部に排出させるための構成を備えている。
【００３６】
すなわち、排気ガス浄化装置３０から排出される排気ガスが通流する排気管３１の先端部に径方向に重なり合う状態で、排気管３１から排出される排気ガスにより外気を吸引しかつ排気ガスと吸引する外気とを混合させて排出口３２から外部に排出させる排気管３１よりも大径で筒状の排気混合管３３が備えられ、この排気混合管３３が、軸芯方向が機体前後方向に沿う姿勢で、且つ、排気ガスを機体前方に向けて排出させる状態で、原動部５における機体横幅方向一方側としての機体横幅方向左側の下方側箇所に配備されている。
又、排気管３１が、排気ガス浄化装置３０における機体横幅方向他方側としての機体横幅方向右側端部に接続されるとともに、機体横幅方向左側に向けて延出され、排気混合管３３に径方向に重なり合う状態で設けられている。
【００３７】
以下、図２〜図４を参照しながら、具体的な配置構成について説明する。
図２に示すように、排気ガス浄化装置３０は、原動部５における機体後部側箇所であって且つエンジン４の上部側箇所に配備されている。
又、排気ガス浄化装置３０は、軸芯方向に長尺の円筒形状に形成され、軸芯方向が機体横幅方向に向く横向き姿勢でエンジン４の上部側箇所に配備されている。そして、排気ガス浄化装置３０の機体横幅方向左側端部に設けられたガス導入管３４が、エンジン４の左側に設けられた排気マニホールド３５にフランジ接続によって連通接続されている。
【００３８】
図３及び図４に示すように、排気ガス浄化装置３０の機体横幅方向右側端部に設けられたガス排出管３６に対して、フランジ接続によって排気管３１のガス通流方向上手側端部が連通接続されている。排気管３１は、ガス排出管３６との接続箇所から下方側に向けて延びる下方側延設部分３１Ａと、その下方側延設部分３１Ａの下方側端部から略くの字状に屈曲して機体横幅方向左側に向けて延びる横向き延設部分３１Ｂと、その横向き延設部分３１Ｂの機体横幅方向左側端部から略くの字状に屈曲して機体前方下方側に向けて延びる前後向き延設部分３１Ｃとを備えて構成されている。
【００３９】
図２及び図３に示すように、排気管３１における前後向き延設部分３１Ｃの前端部（先端部）に、径方向に重なり合う状態で排気混合管３３が配備されている。この排気混合管３３は排気管３１よりも大径で筒状に形成されており、その軸芯方向が機体前後方向に沿う姿勢で、且つ、排気ガスを機体前方に向けて排出させる状態で、原動部５における機体横幅方向左側の下方側箇所に配備されている。
【００４０】
この排気混合管３３の機体後部側端部、すなわち、ガス通流方向上手側端部は、全面が大きく開口されており、この開口部分に排気管３１が径方向に重なり合うように入りこむ構成となっている。又、機体前部側の端部、すなわち、ガス通流方向下手側の端部は、全面が大きく開口されて、排気ガスを前部側外方に向けて排出させるための排出口３２が形成されている。
【００４１】
排気管３１と排気混合管３３とが重なり合う箇所において、それらが周方向に間隔をあけて３箇所に備えられた連結ステー３７にて連結固定されている。又、排気混合管３３は、外周側に連結された支持ステー３８により前部フレーム１４の横側部に連結固定して支持する構成となっている。
【００４２】
排気管３１と排気混合管３３とが重なり合う箇所における排気管３１と排気混合管３３との間は、３個の連結ステー３７同士の間は空間になっており、排気管３１と排気混合管３３との間に形成される空間により外気を取り入れるための外気取り入れ口３９が形成されている。このように外気取り入れ口３９が形成されることによって、排気管３１の先端部から排気ガスが勢いよく排出されると、エジェクタ作用により、この外気取り入れ口３９を通して外気が吸入されるように構成されている。
【００４３】
排気混合管３３は、前部フレーム１４の横側に位置するとともに、前車軸ケース１７の上方に位置する状態で配備されている。このように前車軸ケース１７の上方に位置することで、前輪１を最大操向角に至るまで大きく操向操作しても、前輪１が排気混合管３３に干渉して損傷することがないようにしている。
【００４４】
排気管３１における排気混合管３３と重なり合う箇所よりもガス通流方向上手側箇所に、その排気管３１を通流する排気ガスにより外気を吸引するための上手側の外気取り込み部４０が形成されている。
【００４５】
すなわち、図５及び図６に示すように、排気管３１の周方向の一部に切り込みを入れて、その切り込み部分よりもガス通流方向上手側部分の管周壁を管内方側へ凹入させることにより案内壁部４０ａが形成され、その凹入形成された案内壁部４０ａのガス通流方向下手側端部と排気管３１の円弧状の周壁との間に上手側の外気吸引口４０ｂを形成することによって、上手側の外気取り込み部４０が形成されている。この上手側の外気取り込み部４０は周方向に等間隔をあけて３箇所に形成されている。
【００４６】
又、排気混合管３３における排気管３１が重なり合う箇所よりもガス通流方向下手側箇所であってかつ排出口３２よりもガス通流方向上手側箇所に、その排気管３１を通流する排気ガスにより外気を吸引する下手側の外気取り込み部４１が形成されている。
【００４７】
すなわち、図７及び図８に示すように、上手側の外気取り込み部４０と同様に、排気混合管３３の周方向の一部に切り込みを入れ、その切り込み部分よりもガス通流方向上手側部分の管周壁を管内方側へ凹入させることにより案内壁部４１ａが形成され、その凹入形成された案内壁部４１ａのガス通流方向下手側端部と排気混合管３３の円弧状の周壁との間に下手側の外気吸引口４１ｂを形成することによって、下手側の外気取り込み部４１が形成されている。この下手側の外気取り込み部４１は周方向に等間隔をあけて３箇所に形成されている。
【００４８】
そして、排気混合管３３の排出口３２の断面積Ｓｄ（図９（ａ）の斜線部分）が、上手側の外気吸引口４０ｂの断面積Ｓａ（図９（ｂ）の斜線部分）の３箇所の総和、外気取り入れ口３９の断面積Ｓｂ（図９（ｃ）の斜線部分）、及び、下手側の外気吸引口４１ｂの断面積Ｓｃ（図９（ｄ）の斜線部分）の３箇所の総和を夫々加算した断面積よりも大に設定されている。
【００４９】
このように構成することで、排気管３１を通して通流する排気ガス、上手側の外気吸引口４０ｂを通して吸入された外気、外気取り入れ口３９を通して吸入された外気、及び、下手側の外気吸引口４１ｂを通して吸入された外気の夫々が混合された状態の排気ガスが、排気混合管３３の排出口３２において滞ることなく外部に排出されるので、外気の取り入れが良好に行われることになる。
【００５０】
その結果、排気ガス浄化装置３０から排出される高温の排気ガスが、上手側の外気吸引口４０ｂ、外気取り入れ口３９、下手側の外気吸引口４１ｂの夫々を通して吸入された外気が混合することにより、充分に温度低下した状態で外部に排出させることができる。
【００５１】
〔第２実施形態〕
第２実施形態は、上記第１実施形態において、排気管及び排気混合管についての別実施形態を示すものであり、その他の構成については上記第１実施形態と同様である。そこで、以下、図１０〜図１３に基づいて、排気管５１及び排気混合管５２について説明し、その他の構成については同符号を記す等によりその説明を省略する。図１０は、ボンネットの側面図であり、図１１は、原動部の側面図である。図１２は、排気管及び排気混合管を示す斜視図であり、図１３は、排気管及び排気混合管の断面図である。
【００５２】
排気管５１は、図１０及び図１１に示すように、上記第１実施形態と同様に、下方側延設部分５１Ａと横向き延設部分５１Ｂと前後向き延設部分５１Ｃとを備えている。これにより、排気管５１は、排気ガス浄化装置５０における機体横幅方向右側端部（機体横幅方向他方側）に接続され、機体横幅方向左側に向けて延出され、排気混合管５２に径方向に重なり合う状態で設けられている。
【００５３】
排気管５１における前後向き延設部分３１Ｃの前端部（先端部）には、図１２に示すように、それよりもガス通流方向上流側箇所における横幅方向での幅を幅狭とした断面形状を縦長状とする絞り部５３が備えられている。排気管５１は、断面形状が円形状の管にて構成されており、その管の断面形状を加工することで、排気管５１の先端部に絞り部５３を備えている。排気管５１の先端部以外の部分については、円形状の断面形状を維持し、排気管５１の先端部のみを、円形状の断面形状から横幅方向での幅を幅狭とする縦長状の断面形状に加工している。
【００５４】
排気混合管５２は、上記第１実施形態と同様に、前部フレーム１４の横側に配置されている。排気混合管５２は、図１２及び図１３に示すように、排気管５１の先端部と同様に、横幅方向での幅を幅狭とする縦長状の断面形状に構成されており、排気管５１の外周部と排気混合管５２の内周部との間に間隙を形成するように設けられている。排気管５１の断面の中央部と排気混合管５２の断面の中央部とが同一位置となるように、排気管５１と排気混合管５２が備えられている（図１３参照）。これにより、排気管５１の外周部と排気混合管５２の内周部との間にその周方向の全周に亘って間隙が形成されている。この間隙が、外気を取り入れる外気取り入れ口５４として構成されている。
【００５５】
このように、排気管５１の先端部に絞り部５３を備えることで、排気管５１から排気される排気ガスの流速を上げることができる。これにより、排気管５１から排出されて排気混合管５２に供給される排気ガスのエジェクタ効果によって、より大きな吸引力を発揮して、より多くの外気を外気取り入れ口５４から排気混合管５２に取り入れることができる。しかも、外気取り入れ口５４は、排気管５１の外周部と排気混合管５２の内周部との間にその周方向の全周に亘って形成されているので、より多くの外気を排気混合管５２に取り入れることができる。その結果、排気混合管５２により多くの外気を取り込み、その外気によって排気ガスを十分に冷却することができるので、排気混合管５２の長さを短くすることができる。しかも、絞り部５３は、縦長状に形成されているので、排気管５１及び排気混合管５２の横幅方向での大きさを小さくできる。よって、前部フレーム１４の横側という限られたスペースであっても、より多くの外気を排気混合管５２に取り込むことができながら、排気管５１及び排気混合管５２を適切に配置することができる。
【００５６】
機体前後方向での排気混合管５２の配置位置について説明する。
排気混合管５２は、図１０に示すように、機体前後方向において、排気ガスを排出する排出口５５が前輪１よりも機体前方側に突出させた位置となるように配置されている。そして、排気混合管５２は、その全体が前車軸ケース１７よりも機体前方側に位置するように配置されている。このようにして、排気混合管５２は、操向操作自在な前輪１よりも機体前方側に配備されている。したがって、前輪１を操向操作させる場合に、排気混合管５２によって前輪１の操向操作を邪魔することがない。しかも、排気混合管５２の排出口５５が、前輪１よりも機体前方側に位置することになるので、排出口５５から排出される排気ガスが前輪１に向けて排出されることもない。
【００５７】
排気管５１の支持構成について説明すると、排気管５１は、図１１及び図１２に示すように、前部フレーム１４の横側部に連結固定された第１支持体５６により支持されている。第１支持体５６は、その基端部が前部フレーム１４に連結固定されており、その連結固定箇所から下方側に延び、その下端部を前部フレーム１４の外側に折り曲げた形状に構成されている。そして、第１支持体５６において、その折り曲げた部位の先端部に排気管５１が連結されている。
【００５８】
排気混合管５２の支持構成について説明すると、排気混合管５２は、図１２に示すように、前部フレーム１４の横側部に連結固定された第２支持体５７により支持されている。第２支持体５７は、前部フレーム１４から外側に延びる形状に構成されており、排気混合管５２の前端部に連結されているもの（図示省略）と排気混合管５２の後端部に連結されているものとが設けられている。
【００５９】
排気混合管５２における排出口５５から排出される排気ガスの排出方向について説明する。
排気混合管５２は、図１２に示すように、縦長状の断面形状の管にて構成されており、その管の中間部位にて前部フレーム１４の外側で斜め下方側に折り曲げるように構成されている。これにより、排気混合管５２において、折り曲げた部位よりも機体前方側部位は、その軸心方向が、機体前後方向では前方側に向いており、機体横幅方向では外側に向いており、上下方向では下方側に向いている傾斜部位５２ａにて構成されている。排出口５５は、傾斜部位５２ａの前端部に形成されており、機体前方における機体横幅方向の外側で斜め下方側に向けて排気ガスを排出させるように構成されている。排出口５５の開口自体は、機体横幅方向の外側に対して開口するように形成されており、排気混合管５２の傾斜部位５２ａによって排気ガスを案内することで、機体前方における機体横幅方向の外側で斜め下方側に向けて排気ガスを排出させるようにしている。
【００６０】
排気混合管５２では、このような方向に排気ガスを排出することで、砂埃が生じることがない。また、機体の前方にフロントローダを連結した場合に、機体横幅方向で排気混合管５２の外側にフロントローダを連結するための連結部材等が配備されても、その連結部材等に向けて排気混合管５２から排気ガスを排出してしまうという問題の発生を防止することができる。
【００６１】
図１０〜図１３では、上記第１実施形態における上手側の外気吸引口４０ｂ及び下手側の外気吸引口４１ｂについて図示していないが、これらの外気吸引口４０ｂ、４１ｂを設けることもできる。このように、外気吸引口４０ｂ、４１ｂを設けた場合には、上記第１実施形態と同様に、排気混合管５２の排出口５５の断面積を、上手側の外気吸引口４０ｂの断面積、外気取り入れ口５４の断面積、及び、下手側の外気吸引口４１ｂの断面積を夫々加算した断面積よりも大に設定することができる。
【００６２】
また、第２実施形態において、上記第１実施形態における下手側の外気吸引口４１ｂのみを設けることもできる。この場合には、排気混合管５２の排出口５５の断面積を、外気取り入れ口５４の断面積、及び、下手側の外気吸引口４１ｂの断面積を夫々加算した断面積よりも大に設定することができる。
【００６３】
〔別実施形態〕
（１）上記第１及び第２実施形態では、排気混合管３３、５２が機体横幅方向左側の下方側箇所に配備されるものを示したが、排気混合管３３、５２が機体横幅方向右側の下方側箇所に配備されるものでもよい。
【００６４】
（２）上記第１実施形態では、排気混合管３３が前車軸ケース１７の上方に位置する状態で配備されるものを示したが、排気混合管３３が前車軸ケース１７の上方箇所とは異なる箇所に配備されるものでもよい。
また、上記第２実施形態では、排気混合管５２が前輪１よりも機体前方側に配備されているものを示したが、例えば、排気混合管５２を前車軸ケース１７の上方に位置する状態に配備することもでき、排気混合管５２の配置位置については適宜変更することができる。
【００６５】
（３）上記第１実施形態では、排気管３１に上手側の外気吸引口４０ｂが形成されるものを示したが、このような上手側の外気吸引口４０ｂが形成されない構成としてもよい。又、この場合、排気混合管３３の排出口３２の断面積Ｓｄが、外気取り入れ口３９の断面積Ｓｂと下手側の外気吸引口４１ｂの断面積Ｓｃを夫々加算した断面積よりも大に設定されることになる。
【００６６】
（４）上記第１実施形態では、排気混合管３３に下手側の外気吸引口４１ｂが形成されるものを示したが、このような下手側の外気吸引口４１ｂが形成されない構成としてもよい。
【００６７】
（５）上記第１及び第２実施形態では、キャビンＣを備えた作業車を示したが、キャビンＣを備えない作業車であってもよい。
【産業上の利用可能性】
【００６８】
本発明は、排気ガス浄化装置が備えられた作業車の排気装置に適用できる。
【符号の説明】
【００６９】
１      前輪
４      エンジン
５      原動部
８      搭乗運転部
１７    前車軸ケース
３０    排気ガス浄化装置
３１、５１    排気管
３２    排出口
３３、５２    排気混合管
３９、５４    外気取り入れ口
４１ｂ  外気吸引口
５３    絞り部
Ｓｂ，Ｓｃ，Ｓｄ  断面積
【図１】
0005911758.tif 000002
【図２】
0005911758.tif 000003
【図３】
0005911758.tif 000004
【図４】
0005911758.tif 000005
【図５】
0005911758.tif 000006
【図６】
0005911758.tif 000007
【図７】
0005911758.tif 000008
【図８】
0005911758.tif 000009
【図９】
0005911758.tif 000010
【図１０】
0005911758.tif 000011
【図１１】
0005911758.tif 000012
【図１２】
0005911758.tif 000013
【図１３】
0005911758.tif 000014